(57)【要約】【課題】ＩＰ電話端末をビル内の異なるフロアに亘って持ち歩いても、指定特番を伴う着信呼を当該指定特番に対応する電話端末の各々に一斉に着信せしめるＩＰ電話交換システムを提供する。【解決手段】  被呼エリアの指定を伴う着信呼を当該指定被呼エリアに属する複数の電話端末に着信せしめるエリア一斉着信機能を備えたＩＰ電話交換システムであって、予め定められた被呼エリアとネットワークアドレスとの対応関係を保持する保持手段と、当該指定被呼エリアを対応関係に従ってネットワークアドレスに変換するネットワークアドレス変換手段と、当該ネットワークアドレスに対応するネットワークに属する電話端末のＩＰアドレスの各々を着信番号として抽出する端末アドレス抽出手段と、着信番号に対応する電話端末の各々に一斉に着信呼を着信せしめる電話端末着信手段と、を有することを特徴とするＩＰ電話交換システム。【選択図】図２
2014197758.tif 000002
【特許請求の範囲】
【請求項１】
被呼エリアの指定を伴う着信呼を当該指定被呼エリアに属する複数の電話端末に着信せしめるエリア一斉着信機能を備えたＩＰ電話交換システムであって、
予め定められた被呼エリアとネットワークアドレスとの対応関係を保持する保持手段と、
当該指定被呼エリアを前記対応関係に従ってネットワークアドレスに変換するネットワークアドレス変換手段と、
当該ネットワークアドレスに対応するネットワークに属する電話端末のＩＰアドレスの各々を着信番号として抽出する端末アドレス抽出手段と、
前記着信番号に対応する電話端末の各々に一斉に前記着信呼を着信せしめる電話端末着信手段と、
を有することを特徴とするＩＰ電話交換システム。
【請求項２】
前記ネットワークアドレス変換手段は、前記指定被呼エリアの各々と前記ネットワークアドレスの各々とを対応付けるエリア指定ネットワークアドレス対応マップを参照することによって、当該ネットワークアドレスを取得することを特徴とする請求項１に記載のＩＰ電話交換システム。
【請求項３】
前記保持手段は、前記指定被呼エリアと前記ネットワークアドレスとの対応関係を外部指令に応じて変更する変更手段を有することを特徴とする請求項１又は２に記載のＩＰ電話交換システム。
【請求項４】
前記電話端末が、それまで存在した被呼エリアと異なる被呼エリアに移動して当該異なる被呼エリアのネットワークアドレスに対応するＩＰアドレスを割り当てられたときに、当該電話端末が送信した登録メッセージに含まれるＩＰアドレスを取り込むＩＰアドレス取込手段を更に有することを特徴とする請求項１乃至３のいずれか１つに記載のＩＰ電話交換システム。
【発明の詳細な説明】
【技術分野】
【０００１】
本発明は、指定特番に対応する複数の電話端末を一斉に着信せしめるエリア一斉着信機能を備えたＩＰ電話交換システムに関する。
【背景技術】
【０００２】
ＩＰ電話交換システムにおけるＩＰ電話交換機は、ＩＰ電話端末に割り当てられたＩＰアドレスを電話番号に対応付けて管理することで、電話番号を用いたＩＰ電話端末同士の通話やゲートウェイを介して非ＩＰ電話端末との間の通話を可能とする。
【０００３】
例えば、同一フロアのＩＰ電話端末を一斉に呼び出す場合には、通常、予めＩＰ電話交換機において指定特番に対応するＩＰ電話端末のＩＰアドレスを登録しておく必要がある。発信側のＩＰ電話端末が特番を指定することによって、ＩＰ電話交換機が指定特番に対応するＩＰアドレスに変換して、当該指定特番に対応するＩＰ電話端末を一斉に呼び出すことができる。
【０００４】
例えば、特許文献１には、複数のテナント毎に基地局を配置することによって、呼出しエリアを形成して、複数のテナントのそれぞれに割り当てられた着信テナント番号を受けると、着信テナント番号に対応するテナントにおける固定端末及び移動端末に着信せしめる技術が開示されている。特許文献２には、同一グループ内の複数の端末への一斉通報処理をする技術が開示されている。
【先行技術文献】
【特許文献】
【０００５】
【特許文献１】特開平１１−９８５４５号公報
【特許文献２】特開２００７−１６６３９３号公報
【発明の概要】
【発明が解決しようとする課題】
【０００６】
しかしながら、ＩＰ電話端末をビル内の異なるフロアに亘って持ち歩いてＩＰ電話端末を使用する場合において、特定のフロアにいる誰かに電話をしたいと望む場合、当該フロアに対応するＩＰ電話端末の電話番号がわからない故に、特定のフロアに対応するＩＰ電話端末を指定して一斉に呼び出すことができないという問題がある。
【０００７】
本発明は、上記した如き問題点に鑑みてなされたものであって、電話端末をビル内の異なるフロアに亘って持ち歩いても、指定特番を伴う着信呼を当該指定特番に対応する電話端末の各々に一斉に着信せしめるＩＰ電話交換システムを提供することを目的としている。
【課題を解決するための手段】
【０００８】
請求項１に係る発明のＩＰ電話交換システムは、被呼エリアの指定を伴う着信呼を当該指定被呼エリアに属する複数の電話端末に着信せしめるエリア一斉着信機能を備えたＩＰ電話交換システムであって、予め定められた被呼エリアとネットワークアドレスとの対応関係を保持する保持手段と、当該指定被呼エリアを前記対応関係に従ってネットワークアドレスに変換するネットワークアドレス変換手段と、当該ネットワークアドレスに対応するネットワークに属する電話端末のＩＰアドレスの各々を着信番号として抽出する端末アドレス抽出手段と、前記着信番号に対応する電話端末の各々に一斉に前記着信呼を着信せしめる電話端末着信手段と、を有することを特徴としている。
【図面の簡単な説明】
【０００９】
【図１】本発明の実施例であるＩＰ電話交換システムの構成を示すブロック図である。
【図２】図１の実施例の機能である被呼エリア指定呼処理ルーチンを示すフローチャートである。
【図３】図１の実施例の機能である指定被呼エリアネットワークアドレス対応マップ変更処理機能のサブルーチンを示すフローチャートである。
【図４】図１の実施例におけるＩＰ電話端末が異なる被呼エリアへ移動したときの動作例を示すシーケンス図である。
【図５】図４に示した如き、ＩＰ電話端末が異なる被呼エリアへの移動後のＩＰ電話交換機の内線データマップを示す説明図である。
【図６】図１のＩＰ電話交換システムの動作例を示すシーケンス図である。
【図７】図６のＩＰ電話端末から送信される発信メッセージの内容を例示する説明図である。
【図８】実施例２のＩＰ電話交換システムの構成を示すブロック図である。
【図９】図８のＩＰ電話交換システムの動作例を示すシーケンス図である。
【図１０】図９のＩＰ電話端末から送信される発信メッセージの内容を例示する説明図である。
【発明を実施するための形態】
【００１０】
【実施例１】
【００１１】
本発明の実施例１であるＩＰ電話交換システム１０を図１乃至図７を参照しつつ説明する。
【００１２】
図１において、ＩＰ電話交換システム１０は、ＩＰネットワーク２００に接続されたＩＰ電話交換機１００を含んでいる。ＩＰ電話交換機１００は、ＩＰネットワーク２００を介して無線アクセスポイント（以下、ＡＰという）５０１〜５０４に接続されている。ＩＰネットワーク２００には、ＤＨＣＰサーバ３００と、複数の被呼エリア１〜４に配置されたＩＰ電話端末４０１〜４１１とが接続されている。
【００１３】
ＩＰ電話交換機１００は、複数のＩＰ電話端末４０１〜４１１の電話番号を管理し、これらの端末の呼制御、外線着信サービス及び内線転送サービス等の機能を有する。ＩＰ電話交換機１００は、被呼エリアの指定を伴う着信呼を当該指定被呼エリアに属する複数のＩＰ電話端末４０１〜４１１に着信せしめるエリア一斉着信機能を備えている。ＩＰ電話交換機１００は、また、アナログ電話端末やＰＨＳなどのＩＰアドレスを持たない非ＩＰ電話端末との通話を可能とするゲートウェイ機能を有しても良い。ＩＰ電話交換機１００は、ＩＰ電話端末からの発信があると、電話番号を受信してこれをＩＰアドレスに変換して、変換されたＩＰアドレスを有するＩＰ電話端末に対して着信せしめる。ＩＰ電話交換機１００はエリア指定ネットワークアドレス対応マップ１１０と内線データマップ１２０とを含む。
【００１４】
エリア指定ネットワークアドレス対応マップ１１０は、被呼エリア毎に異なる識別情報からなるエリア指定特番群と、ネットワークアドレス及び当該ネットワークアドレスに対応するネットワークに属するＩＰアドレスの範囲とからなるＩＰアドレス範囲群とを含み、エリア指定特番とＩＰアドレスの範囲とが一対一に対応付けられている。
【００１５】
内線データマップ１２０は、ＩＰ電話交換機１００に収容されている全内線のＩＰ電話端末の電話番号の各々とＩＰアドレスの各々を対応付けている。電話番号は、少なくともＩＰ電話端末を一意に識別し得るデータを含み、例えば、ＩＰ電話端末の電話番号（内線番号）である。ＩＰアドレスは、ＩＰ電話端末に割り当てられたＩＰアドレスである。
【００１６】
ＩＰネットワーク２００は、例えば、ＬＡＮやＷｉＦｉ（無線ＬＡＮ）などのＩＰプロトコルにより通信可能な有線や無線ネットワークである。複数のＩＰ電話端末４０１〜４１１の各々は、ＩＰ電話交換機１００に収容され、ＩＰネットワーク２００を介したＩＰ電話通信が可能である。
【００１７】
ＤＨＣＰサーバ３００は、ＩＰ電話端末４０１〜４１１に対するＩＰアドレスを管理しているサーバであり、ＩＰ電話端末４０１〜４１１に対してＩＰアドレスを自動配布する機能を有している。
【００１８】
ＤＨＣＰサーバ３００は、被呼エリア１〜４毎に割当可能なＩＰアドレスの範囲を有するＩＰアドレス範囲テーブル３１０を含む。すなわち、ＤＨＣＰサーバ３００は、ＤＨＣＰプロトコルに基づいてＩＰ電話端末４０１〜４１１からの割り当て要求に応じて各被呼エリアに対応したＩＰアドレス範囲に属するＩＰアドレスを割り当てる。例えば、被呼エリア１に存在するＩＰ電話端末からＩＰアドレスの取得要求があった場合には、１９２．１６８．１．０〜１９２．１６８．１．２５５の間の使用可能なＩＰアドレスをＩＰ電話端末に割り当てる。また、ＤＨＣＰサーバ３００は、既にＩＰアドレスが割り当てられたＩＰ電話端末が異なる被呼エリアに移動した場合には、当該移動した被呼エリアに対応した未使用のＩＰアドレスをＩＰ電話端末からの要求に応じて新たに割り当てる。本実施例においては、１つのＤＨＣＰサーバ３００が示されているが、被呼エリア毎に１つのＤＨＣＰサーバ３００を設けることも可能である。
【００１９】
被呼エリア１〜４は、それぞれ１Ｆ〜４Ｆフロアに対応している。各被呼エリア毎に、ＡＰが１つ配置され、各ＡＰの無線エリアは、各被呼エリアに対応している。被呼エリア１〜４は、各被呼エリア毎に異なるネットワークアドレス（ＩＰアドレスの範囲）を有している。本実施例においては、１Ｆ〜４Ｆのフロア毎に被呼エリアに対応していることを前提に説明するが、同一フロア内において複数の被呼エリアが形成されていてもよい。更に、被呼エリアの数は図示した数に限定されない。
【００２０】
ＩＰ電話端末４０１〜４１１は、ＩＰネットワーク２００においてＩＰ電話通信を実現する有線通信端末（例えば、ＩＰ電話端末４０３）と無線通信端末（ＩＰ電話端末４０１）とを含む。ＩＰ電話端末４０１〜４１１の電話番号は、ＩＰ電話交換機１００における内線データマップ１２０に保持されている。なお、ＩＰ電話端末間の呼制御には、主にＳＩＰ（Session Initiation Protocol）が採用される。また、ＩＰ電話端末が配置されている数は、図示した数に限定されない。ＩＰ電話端末４０１〜４１１は、自身にＩＰアドレスが割り当てられていないときには、ＩＰネットワーク２００を介してＤＨＣＰサーバ３００にＩＰアドレスの割当要求を送信する。ＩＰ電話端末４０１〜４１１は、ＩＰアドレスが割り当てられると、ＩＰ電話交換機１００に対して自身のＩＰアドレスを通知する。
【００２１】
ＡＰ５０１〜５０４は、自身の無線エリア内に存在するＷｉＦｉ端末などの無線ＩＰ電話端末（例えばＩＰ電話端末４０１）とＩＰ電話交換機１００との接続をＩＰネットワーク２００を介して中継する。また、ＡＰ５０１〜５０４は、無線ＩＰ電話端末からＩＰアドレスの取得要求があったときは、ＤＨＣＰサーバ３００との接続をＩＰネットワーク２００を介して中継する。
【００２２】
図２において、ＩＰ電話交換機１００における被呼エリア指定呼処理ルーチンを説明する。ＩＰ電話交換機１００は、発信端末から送信された発信メッセージすなわち着信呼を受信したか否かを判定する（ステップＳ１０１）。ＩＰ電話交換機１００は、発信メッセージを受信した場合には、発信メッセージに被呼エリアの指定が含まれているか判定する（ステップＳ１０２）。
【００２３】
ＩＰ電話交換機１００は、予め定められた被呼エリアとネットワークアドレスとの対応関係を保持している（ステップＳ１０３）。ＩＰ電話交換機１００は、発信メッセージに被呼エリアの指定が含まれていれば、当該指定被呼エリアを自身が保持している対応関係に従ってネットワークアドレスに変換する（ステップＳ１０４）。ここで、ＩＰ電話交換機１００は、被呼エリアの各々とネットワークアドレスの各々とを対応付けるエリア指定ネットワークアドレス対応マップを参照することによって、当該ネットワークアドレスを取得することが好ましい。なお、予め定められた被呼エリアとネットワークアドレスとの対応関係を外部指令に応じて変更可能であれば好ましい。また、当該ネットワークアドレスは、ネットワークアドレスに対応するＩＰアドレスの範囲としてもよい。
【００２４】
次に、ＩＰ電話交換機１００は、当該ネットワークアドレスに対応するネットワークに属する電話端末のＩＰアドレスの各々を着信番号として抽出する（ステップＳ１０５）。当該着信番号に対応する電話端末の各々に対して一斉に当該着信呼を着信せしめる（ステップＳ１０６）。つまり、ＩＰ電話交換機１００は、被呼エリア指定で指定された被呼エリア内に存在する全内線に対して一斉に着信せしめる。
【００２５】
当該被呼エリアに存在する電話端末の全てに着信せしめ、このうちの電話端末の１つが応答する（ステップＳ１０７）。発信端末と当該応答した電話端末との呼が接続されて、通話状態となる（ステップＳ１０８）。
【００２６】
図３において、ＩＰ電話交換機１００における被呼エリアとネットワークアドレスとの対応関係を変更するサブルーチンを説明する。
【００２７】
ＩＰ電話交換機１００は、被呼エリアとネットワークアドレスとの対応関係を変更する旨の外部指示があるか否かを判定する（ステップＳ２０１）。ＩＰ電話交換機１００は、当該外部指示があれば、指定被呼エリアとネットワークアドレスとを取り込む（ステップＳ２０２）。ＩＰ電話交換機１００は、当該取り込んだ指定被呼エリアとネットワークアドレスに従ってエリア指定ネットワークアドレス対応マップに保持している被呼エリアとネットワークアドレスとの対応関係を変更する（ステップＳ２０３）。
【００２８】
図４において、被呼エリア１に存在していたＩＰ電話端末４０１（内線５００）が被呼エリア２に移動した際の動作例を説明する。
【００２９】
ＩＰ電話端末４０１が被呼エリア１から被呼エリア２に移動する（ステップＳ３０１）。ＩＰ電話端末４０１は、被呼エリア１から離れるとそれまで自身に割り当てられていたＩＰアドレス１９２．１６８．１．１を解放するとともに、被呼エリア２において、ＩＰアドレスの取得要求をＡＰ５０２を介してＤＨＣＰサーバ３００に送信する（ステップＳ３０２）。
【００３０】
ＤＨＣＰサーバ３００は、ＡＰ５０２を介してＩＰアドレスの取得要求を受信することによって、被呼エリア２からのＩＰ電話端末から当該ＩＰアドレス取得要求が送信されたことを認識する。ＤＨＣＰサーバ３００は、ＩＰアドレス範囲テーブル３１０を参照して、被呼エリア２に対応するＩＰアドレスの範囲の中から未使用のＩＰアドレス（例えば、１９２．１６８．２．１０）を割り当て、これをＩＰ電話端末４０１に送信する（ステップＳ３０３）。
【００３１】
ＩＰ電話端末４０１は、ＤＨＣＰサーバ３００からＩＰアドレスが割り当てられると、ＩＰ電話交換機１００に登録メッセージを送信する（ステップＳ３０４）。この登録メッセージには、自身に割り当てられたＩＰアドレスと自身の電話番号（例えば内線５００番）とを含む。ＩＰ電話交換機１００は、ＩＰ電話端末４０１からの登録メッセージを受信すると、これを取り込み、当該登録メッセージに応じて、自身が保持している内線データマップ１２０を更新する（ステップＳ３０５）。図５において、ＩＰ電話端末４０１が被呼エリア２に移動した後の内線データマップ１２０の例を示す。
【００３２】
図６において、ＩＰ電話端末４０１が被呼エリア２に移動した後に、ＩＰ電話端末４０３からの着信呼が被呼エリア２の指定を含む場合のＩＰ電話交換機１００の動作例を示す。ＩＰ電話端末４０３はエリア指定特番２２２２を含む発信メッセージをＩＰ電話交換機１００に送信する（ステップＳ４０１）。
【００３３】
ＩＰ電話交換機１００は、発信メッセージから被呼エリアの指定であるエリア指定特番２２２２を抽出する（ステップＳ４０２(1)）。ＩＰ電話交換機１００は、エリア指定ネットワークアドレス対応マップ１１０を参照して、抽出したエリア指定特番を当該エリア指定特番に対応するネットワークアドレスに変換する（ステップＳ４０２(2)）。ＩＰ電話交換機１００は、内線データマップ１２０に登録されている全内線が当該変換されたネットワークアドレスに対応するネットワークに属しているかを検索する（ステップＳ４０２(3)）。内線５００及び内線５０１に対応するＩＰ電話端末のＩＰアドレスは、ネットワークアドレスとＩＰアドレスの上位２４ビットまで一致しているので、当該変換されたネットワークアドレスに対応するネットワークに属している。故に、内線５００（ＩＰ電話端末４０１）のＩＰアドレス１９２．１６８．２．１０と、内線５０１（ＩＰ電話端末４０４）のＩＰアドレス１９２．１６８．２．１１とが着信番号として抽出される（ステップＳ４０２(4)）。つまり、被呼エリア２には、ＩＰ電話端末４０１とＩＰ電話端末４０４とが存在しているのがわかる。
【００３４】
ＩＰ電話交換機１００は、被呼エリア２に存在している全内線（内線５００、内線５０１）に対応するＩＰ電話端末４０１、４０４に対して一斉に着信せしめる（ステップＳ４０３）。ＩＰ電話端末４０１が当該着信に応答し、発信端末であるＩＰ電話端末４０３との呼が接続されるとともに、当該着信に応答しなかったＩＰ電話端末４０４に対する着信を停止する（ステップＳ４０４）。
【００３５】
なお、ステップＳ４０１における発信メッセージに被呼エリアに対応するネットワークアドレスの指定を含めてもよい。図７において、指定被呼エリアに対応するネットワークアドレスを含むＳＩＰの発信メッセージの例を示す。当該発信メッセージにおいては、拡張ヘッダに「X-TenantAddress: 192.168.2.0/24」を含んでおり、これを含む発信メッセージを受信したＩＰ電話交換機１００は、拡張ヘッダの「X-TenantAddress: 192.168.2.0/24」により、被呼エリアに対応するネットワークアドレスを判定するようにしてもよい。
【実施例２】
【００３６】
本発明の実施例２であるＩＰ電話交換システム１０を図８乃至図１０を参照しつつ説明する。
【００３７】
図８において、実施例２のＩＰ電話交換システム１０は、実施例１のＩＰ電話交換システムと同一の構成要素を含んでおり、同一の構成要素については、その説明を省略する。
【００３８】
被呼エリア１〜４には、ＩＰ電話端末４０１〜４１１のみならず、アナログ電話端末やＰＨＳなど無線電話端末の非ＩＰ電話端末６０１〜６０８と非ＩＰ無線基地局（以下、ＣＳという）７０１〜７０４とを含んでいる。ＩＰ電話交換機１００は、エリア指定特番マップ１１１と内線データ存在エリアマップ１２１とを含んでいる。エリア指定特番マップ１１１は、被呼エリア毎に異なる識別情報からなるエリア指定特番群と、ネットワークアドレス及び当該ネットワークアドレスに対応するネットワークに属するＩＰアドレスの範囲とからなるＩＰアドレス範囲群と、非ＩＰ電話端末が存在する存在エリア群とを含み、エリア指定特番にＩＰアドレスの範囲と存在エリアとが対応付けられている。すなわち、エリア指定特番マップ１１１は、実施例１のエリア指定ネットワークアドレス対応マップに存在エリアとの対応を追加したものである。内線データ存在エリアマップ１２１は、ＩＰ電話交換機１００に収容されている全内線のＩＰ電話端末の電話番号とＩＰアドレスのみならず、非ＩＰ電話端末の電話番号と存在エリアとを含む。すなわち、内線データ存在エリアマップ１２１は、実施例１の内線データマップ１２０に非ＩＰ電話端末の内線番号と存在エリアとを追加したものである。
【００３９】
ＩＰ電話交換機１００は、非ＩＰ電話端末のうちの有線電話端末（アナログ電話端末など）を収容する内線トランク（図示せず）を含む。これらの有線電話端末の電話番号、存在エリアは、予め設定され内線データ存在エリアマップに保持される。被呼エリア１〜４にそれぞれ対応した４つのＣＳ７０１〜７０４は、ＩＰ電話交換機１００に接続され、１つのＣＳ内において、非ＩＰ電話端末のうちの無線電話端末を当該ＣＳを介して収容する。無線電話端末がそれまで存在した被呼エリアと異なる被呼エリアへ移動した場合には、当該異なる被呼エリアにあるＣＳが無線電話端末と接続して、ＩＰ電話交換機１００に無線電話端末の存在エリアを通知する。これによって、ＩＰ電話交換機１００は、自身が保持している内線データ存在エリアマップ１２１の存在エリアを更新する。
【００４０】
図９において、ＩＰ電話端末４０３からの着信呼が被呼エリア２の指定を含む場合のＩＰ電話交換機１００の動作例を示す。ＩＰ電話端末４０３はエリア指定特番２２２２を含む発信メッセージをＩＰ電話交換機１００に送信する（ステップＳ５０１）。
【００４１】
ＩＰ電話交換機１００は、発信メッセージから被呼エリア２の指定であるエリア指定特番２２２２を抽出する（ステップＳ５０２(1)）。ＩＰ電話交換機１００は、エリア指定特番マップ１１１を参照して、抽出したエリア指定特番を当該エリア指定特番に対応するネットワークアドレスに変換するとともに、当該エリア指定特番に対応する存在エリアに変換する（ステップＳ５０２(2)）。ＩＰ電話交換機１００は、内線データ存在エリアマップ１２１に登録されている全内線が、当該変換されたネットワークアドレスに対応するネットワークに属しているか検索するとともに、当該変換された存在エリアに属しているか検索する（ステップＳ５０２(3)）。ＩＰ電話端末においては、内線５００（ＩＰ電話端末４０１）のＩＰアドレス１９２．１６８．２．１０と、内線５０１（ＩＰ電話端末４０４）のＩＰアドレス１９２．１６８．２．１１とが着信番号として抽出されるとともに、非ＩＰ電話端末においては、内線５１０（非ＩＰ電話端末６０２）、内線５１１（非ＩＰ電話端末６０３）、内線５１２（非ＩＰ電話端末６０４）が着信番号として抽出される（ステップＳ５０２(4)）。
【００４２】
ＩＰ電話交換機１００は、被呼エリア２に存在している全内線に対して、すなわち、内線５００、内線５０１に対応するＩＰ電話端末４０１、４０４のみならず、内線５１０、内線５１１、内線５１２に対応する非ＩＰ電話端末６０２、６０３、６０４に対して一斉に着信せしめる（ステップＳ５０３）。ＩＰ電話端末４０１が当該着信に応答し、発信端末であるＩＰ電話端末４０３との呼が接続されるとともに、当該着信に応答しなかったＩＰ電話端末４０４、非ＩＰ電話端末６０２、６０３、６０４に対する着信を停止する（ステップＳ５０４）。
【００４３】
なお、ステップＳ５０１における発信メッセージにＩＰ電話端末のみへの着信の指定を含めてもよい。図１０において、ＩＰ電話端末のみへの着信の指定を含むＳＩＰの発信メッセージの例を示す。当該発信メッセージにおいては、拡張ヘッダに「X-CallTarget: IP」を含んでおり、これを含む発信メッセージを受信したＩＰ電話交換機１００は、拡張ヘッダの「X-CallTarget: IP」により、被呼エリア２に対応するＩＰ電話端末のみに一斉着信を行われてもよい。この場合、ＩＰ電話交換機１００は、被呼エリア２に存在するＩＰ電話端末４０２、４０４のみに一斉着信せしめる。音声の符号化／復号化を少なくして音声データの劣化を防止するためにＩＰ電話端末同士による通話が望まれる場合に有用である。
【符号の説明】
【００４４】
１〜４  被呼エリア
１０  ＩＰ電話交換システム
１００  ＩＰ電話交換機
１１０  エリア指定特番テーブル
１２０  内線データテーブル
２００  ＩＰネットワーク
３００  ＤＨＣＰサーバ
４０１〜４１１  ＩＰ電話端末
５０１〜５０４  無線アクセスポイント
６０１〜６０８  非ＩＰ電話端末
７０１〜７０４  非ＩＰ無線基地局
【図１】
2014197758.tif 000003
【図２】
2014197758.tif 000004
【図３】
2014197758.tif 000005
【図４】
2014197758.tif 000006
【図５】
2014197758.tif 000007
【図６】
2014197758.tif 000008
【図７】
2014197758.tif 000009
【図８】
2014197758.tif 000010
【図９】
2014197758.tif 000011
【図１０】
2014197758.tif 000012